(57)【特許請求の範囲】
【請求項１】
印刷媒体に対して印刷を行う一方、剛体の媒体に対して印刷を行う印刷手段と、操作者の操作により動作して前記印刷手段により印刷された印刷媒体を切断するための切断手段とを備えた印刷装置であって、
装置本体に設けられ、前記印刷媒体又は前記剛体の媒体を収容すると共に、印刷に使用する消耗品を交換可能に収容する収容部と、
前記収容部を覆うべく前記装置本体に開閉可能に設けられ、その閉合状態において、前記装置本体に装填される前記剛体の媒体が挿通されてその一部が前記装置本体の外部に突出する挿通口を設けてある収容部カバーと、
操作者の手動操作により動作する手動操作手段と、
前記手動操作手段が操作者によって手動操作されることに連動して動作し、操作者の操作によって行われる前記切断手段の動作及び前記収容部カバーの開放を共に禁止する禁止手段と、
を備えたことを特徴とする印刷装置。
【請求項２】
印刷媒体に対して印刷を行う一方、剛体の媒体に対して印刷を行う印刷手段と、操作者の操作により動作して前記印刷手段により印刷された印刷媒体を切断するための切断手段とを備えた印刷装置であって、
装置本体に設けられ、前記印刷媒体又は前記剛体の媒体を収容すると共に、印刷に使用する消耗品を交換可能に収容する収容部と、
前記収容部を覆うべく前記装置本体に開閉可能に設けられ、その閉合状態において、前記装置本体に装填される前記剛体の媒体が挿通されてその一部が前記装置本体の外部に突出する挿通口を設けてある収容部カバーと、
前記剛体の媒体が前記装置本体に装填されることに連動して動作し、操作者の操作によって行われる前記切断手段の動作及び前記収容部カバーの開放を共に禁止する禁止手段と、
を備えたことを特徴とする印刷装置。
【請求項３】
印刷媒体に対して印刷を行う一方、剛体の媒体に対して印刷を行う印刷手段と、操作者の操作により動作して前記印刷手段により印刷された印刷媒体を切断するための切断手段とを備えた印刷装置であって、
装置本体に設けられ、前記印刷媒体又は前記剛体の媒体を収容すると共に、印刷に使用する消耗品を交換可能に収容する収容部と、
前記収容部を覆うべく前記装置本体に開閉可能に設けられ、その閉合状態において、前記装置本体に装填される前記剛体の媒体が挿通されてその一部が前記装置本体の外部に突出する挿通口を設けてある収容部カバーと、
前記装置本体に前記剛体の媒体が装填されたことを検出する検出手段と、
前記検出手段により前記剛体の媒体の装填が検出されたときに、駆動源により駆動されて、操作者の操作によって行われる前記切断手段の動作及び前記収容部カバーの開放を共に禁止する禁止手段と、
を備えたことを特徴とする印刷装置。
【請求項４】
前記禁止手段は、前記切断手段を動作不能にロック可能な手段、前記切断手段の操作部を操作不能に遮蔽する手段又は前記切断手段の操作部の操作を前記切断手段の切断刃に伝達しない手段のいずれかを備えると共に、前記装置本体に前記収容部カバーを開放不能にロック可能な手段、閉合状態で前記装置本体に係止される前記収容部カバーの係止を解除するために設けられる係止解除手段の操作部を操作不能に遮蔽する手段又は前記係止解除手段の操作部の操作を前記係止解除手段に伝達しない手段のいずれかを備えて構成する請求項１ないし３のいずれかに記載の印刷装置。
【請求項５】
前記手動操作手段は、前記装置本体に前記剛体の媒体を装填するべく前記収容部カバーに設けられた挿通口を開閉自在に覆い、前記剛体の媒体の装填時に操作者が開放操作する挿通口カバーで構成され、
前記禁止手段は、前記挿通口カバーが操作者によって開放操作されることに連動して操作者の操作によって行われる前記切断手段の動作及び前記収容部カバーの開放を共に禁止するように構成したことを特徴とする請求項１に記載の印刷装置。
【請求項６】
前記剛体の媒体はデータを記録可能な記録媒体である請求項１ないし５のいずれかに記載の印刷装置。
【発明の詳細な説明】
【技術分野】
【０００１】
本発明は、印刷媒体や剛体の媒体に対して印刷を行なう印刷装置に関する。
【背景技術】
【０００２】
従来、光ディスクなどの記録媒体のレーベル面に印刷する印刷装置として特開２００３−７２１５５号公報に開示されているものがある。この印刷装置は、記録媒体を載置するトレイを備え、このトレイは装置本体に対して移動可能に設けられており、トレイを装置本体外に引き出して記録媒体を載置し、トレイを装置本体内に移動して装置本体内の印刷手段により印刷を行なう。この印刷手段は、サーマルヘッドを搭載したキャリッジを装置本体内に収容されたトレイの上で移動させることにより、トレイ上の記録媒体の所定の範囲に印刷を行なうものである。
【０００３】
しかし、前記従来の印刷装置では、記録媒体を載置して装置本体に対して移動させるトレイや、サーマルヘッドを搭載したキャリッジを装置本体内で移動させる印刷手段などを備えるため装置の構成が必ずしも簡単ではない。
【０００４】
そこで、本願の発明者は、より改良した記録媒体の印刷装置を開発した。その印刷装置は、例えば、特開２０００−２２５７４６号公報に記載される従来の印刷用テープに印刷を行なうテープ印刷装置の印刷手段を採用してそれに改良を加えて印刷用テープへの印刷と共に記録媒体への印刷も可能にしたものである。すなわち、この印刷装置は、装置本体内の所定位置にサーマルヘッドとプラテンローラとを対峙させた印刷手段を備え、この印刷手段に対してインクリボン供給するべく、装置本体の所定位置に設けたカセット装填部にインクリボンを収容したリボンカセットを装填可能としており、その印刷手段を駆動することにより、起立状態でセットした記録媒体をインクリボンと共に搬送しつつ記録媒体のレーベル面に熱転写印刷を行なうように構成したものである。
【０００５】
この印刷装置では、従来のテープ印刷装置と同様に、印刷用テープ及びインクリボンを収容したテープカセットがカセット装填部に装填された場合には、その印刷用テープに熱転写印刷を行なう。一方、記録媒体及びインクリボンを収容したリボンカセットがカセット装填部に装填された場合には記録媒体に印刷を行なうものであるが、この印刷装置は、装置本体の幅及び奥行寸法に比べて高さ寸法が小さい扁平な箱型形状であり、ディスク状の記録媒体の直径に比べて装置本体の高さ寸法が小さいため、この装置本体に記録媒体を起立状態で装填し起立状態で搬送しながら印刷を行なえるようにするために、記録媒体の搬送路の上方に位置しカセット装填部を開閉可能に覆うカバーに、記録媒体が挿通されるスリット状の挿通口を搬送路に沿って形成している。
【０００６】
この印刷装置では、カバーを開いてカセット装填部にリボンカセットを装填し、カバーを閉じた後に、起立状態にした記録媒体を前記挿通口に通して装置本体内のセット位置に装填する。この状態では、記録媒体はカバーの挿通口にその起立状態の中間部分が挿通され、下半部が装置本体内に装填され、上半部がカバーから外部に露出する状態にある。そして、印刷手段の動作が開始されると、記録媒体及びインクリボンはサーマルヘッドとプラテンローラの間に挟まれ、回転駆動されるプラテンローラによって搬送路を一方向に搬送され、前記スリット状の挿通口内を起立状態で搬送される記録媒体のレーベル面にサーマルヘッドの発熱によってインクリボンのインクが転写される。
【特許文献１】特開２００３−７２１５５号公報
【特許文献２】特開２０００−２２５７４６号公報
【発明の開示】
【発明が解決しようとする課題】
【０００７】
このような印刷装置では、印刷用テープへの印刷が可能な機能を有しているため、印刷用テープの切断手段を備えたものになるが、切断するべき印刷用テープと、切断することはできない剛体からなる記録媒体を共通の印刷手段により印刷を行うことになると、記録媒体への印刷のときに切断手段が動作すると記録媒体を破損したり、シート状の印刷用テープの切断用に設計された切断手段を記録媒体に対して動作させれば切断手段も故障してしまうことになる。特に、装置本体上に操作者が操作するための操作部を有し、この操作部の操作により切断動作するように構成した手動操作方式の切断手段を備えた場合には、記録媒体への印刷時に操作者が不注意により装置本体上に露出する操作部に触れて切断手段を動作させてしまう虞がある。
【０００８】
また、印刷開始時に記録媒体を装置本体に装填した後に、リボンカセットが未装着であったり、あるいは色違いのインクリボンのリボンカセットに交換したいような場合、カバーを開いてリボンカセットの装着や交換を行なうことになるが、記録媒体のセット状態のままで不用意に開閉カバーを開放すると、挿通口の縁部が記録媒体のレーベル面にぶつかりそこに傷をつける虞がある。
【０００９】
本発明は、上記の問題点を解決するものであり、装置本体に装填された記録媒体などの剛体の媒体に対して操作者が切断手段を操作して切断動作を行うことにより、その剛体の媒体を傷つけたり切断手段を傷めたりすることがなく、また印刷に使用する消耗品を交換するために装置本体に開閉可能に設けられたカバーの挿通口に前記剛体の媒体が挿通された状態で操作者が不用意にカバーを開放することにより、その剛体の媒体を傷つけたりすることがない印刷装置を提供することを目的とする。
【課題を解決するための手段】
【００１０】
請求項１の発明は、印刷媒体に対して印刷を行う一方、剛体の媒体に対して印刷を行う印刷手段と、操作者の操作により動作して前記印刷手段により印刷された印刷媒体を切断するための切断手段とを備えた印刷装置であって、装置本体に設けられ、前記印刷媒体又は前記剛体の媒体を収容すると共に、印刷に使用する消耗品を交換可能に収容する収容部と、前記収容部を覆うべく前記装置本体に開閉可能に設けられ、その閉合状態において、前記装置本体に装填される前記剛体の媒体が挿通されてその一部が前記装置本体の外部に突出する挿通口を設けてある収容部カバーと、操作者の手動操作により動作する手動操作手段と、前記手動操作手段が操作者によって手動操作されることに連動して動作し、操作者の操作によって行われる前記切断手段の動作及び前記収容部カバーの開放を共に禁止する禁止手段とを備えたことを特徴としている。
【００１１】
請求項２の発明は、印刷媒体に対して印刷を行う一方、剛体の媒体に対して印刷を行う印刷手段と、操作者の操作により動作して前記印刷手段により印刷された印刷媒体を切断するための切断手段とを備えた印刷装置であって、装置本体に設けられ、前記印刷媒体又は前記剛体の媒体を収容すると共に、印刷に使用する消耗品を交換可能に収容する収容部と、前記収容部を覆うべく前記装置本体に開閉可能に設けられ、その閉合状態において、前記装置本体に装填される前記剛体の媒体が挿通されてその一部が前記装置本体の外部に突出する挿通口を設けてある収容部カバーと、前記剛体の媒体が前記装置本体に装填されることに連動して動作し、操作者の操作によって行われる前記切断手段の動作及び前記収容部カバーの開放を共に禁止する禁止手段とを備えたことを特徴としている。
【００１２】
請求項３の発明は、印刷媒体に対して印刷を行う一方、剛体の媒体に対して印刷を行う印刷手段と、操作者の操作により動作して前記印刷手段により印刷された印刷媒体を切断するための切断手段とを備えた印刷装置であって、装置本体に設けられ、前記印刷媒体又は前記剛体の媒体を収容すると共に、印刷に使用する消耗品を交換可能に収容する収容部と、前記収容部を覆うべく前記装置本体に開閉可能に設けられ、その閉合状態において、前記装置本体に装填される前記剛体の媒体が挿通されてその一部が前記装置本体の外部に突出する挿通口を設けてある収容部カバーと、前記装置本体に前記剛体の媒体が装填されたことを検出する検出手段と、前記検出手段により前記剛体の媒体の装填が検出されたときに、駆動源により駆動されて、操作者の操作によって行われる前記切断手段の動作及び前記収容部カバーの開放を共に禁止する禁止手段とを備えたことを特徴としている。
【００１３】
請求項４の発明は、前記構成において、前記禁止手段は、前記切断手段を動作不能にロック可能な手段、前記切断手段の操作部を操作不能に遮蔽する手段又は前記切断手段の操作部の操作を前記切断手段の切断刃に伝達しない手段のいずれかを備えると共に、前記装置本体に前記収容部カバーを開放不能にロック可能な手段、閉合状態で前記装置本体に係止される前記収容部カバーの係止を解除するために設けられる係止解除手段の操作部を操作不能に遮蔽する手段又は前記係止解除手段の操作部の操作を前記係止解除手段に伝達しない手段のいずれかを備えて構成するものである。
【００１４】
請求項５の発明は、請求項１の発明において、前記手動操作手段は、前記装置本体に前記剛体の媒体を装填するべく前記収容部カバーに設けられた挿通口を開閉自在に覆い、前記剛体の媒体の装填時に操作者が開放操作する挿通口カバーで構成され、前記禁止手段は、前記挿通口カバーが操作者によって開放操作されることに連動して操作者の操作によって行われる前記切断手段の動作及び前記収容部カバーの開放を共に禁止するように構成するものである。
【００１５】
また、請求項６の発明は、前記剛体の媒体を、データを記録可能な記録媒体とするものである。
【発明の効果】
【００１６】
請求項１の発明によれば、手動操作手段が操作者によって手動操作されることに連動して禁止手段が動作し、操作者の操作によって行われる切断手段の動作及び収容部カバーの開放が共に禁止されるため、操作者が切断手段の操作を行うことにより剛体の媒体を傷つけたり切断手段を傷めたりすることを防止でき、また、操作者が剛体の媒体が挿通口に挿通された状態で不用意にカバーを開放することにより剛体の媒体を傷つけたりすることを防止できる。
【００１７】
請求項２の発明によれば、剛体の媒体が装置本体に装填されることに連動して禁止手段が動作し、操作者の操作によって行われる切断手段の動作及び収容部カバーの開放が共に禁止されるため、操作者が切断手段の操作を行うことにより剛体の媒体を傷つけたり切断手段を傷めたりすることを防止でき、また、操作者が剛体の媒体が挿通口に挿通された状態で不用意にカバーを開放することにより剛体の媒体を傷つけたりすることを防止できる。
【００１８】
請求項３の発明によれば、装置本体に剛体の媒体が装填されたことを検出することにより禁止手段が駆動源により駆動されて動作し、操作者の操作によって行われる切断手段の動作及び収容部カバーの開放が共に禁止されるため、操作者が切断手段の操作を行うことにより剛体の媒体を傷つけたり切断手段を傷めたりすることを防止でき、また、操作者が剛体の媒体が挿通口に挿通された状態で不用意にカバーを開放することにより剛体の媒体を傷つけたりすることを防止できる。
【発明を実施するための最良の形態】
【００１９】
以下、図面を参照しながら本発明の実施の形態について説明する。図１ないし図６は本発明の第１の実施形態に係る印刷装置を示している。図１は印刷装置および消耗品の斜視図、図２は印刷装置に印刷対象物を装填した状態の斜視図、図３は印刷装置の平面図、図４は図３のＡ―Ａ線断面図、図５は印刷装置に印刷対象物を装填した状態の平面図、図６は図５の部分断面図を示している。この印刷装置１は、ＣＤ−ＲやＤＶＤ−Ｒなどのデータ記録可能なディスク状の記録媒体（光ディスク）の印刷面（レーベル面）に直に印刷することができるとともに、テープ状印刷媒体（印刷用テープ）にも印刷することができる。
【００２０】
印刷装置１の装置本体２の上面にはキー入力部３及び表示部４が設けられている。キー入力部３は、印刷する文字列のデータを入力する文字キー、印刷開始を指示する印刷キー、表示部４の表示画面上のカーソルを移動操作するカーソルキー、及び入力された文字列の編集処理、各種設定処理、印刷処理等に必要な種々の制御キーを備えている。表示部４は液晶表示装置であり、入力されたデータや処理内容などの必要な情報を表示する。
【００２１】
装置本体２は、印刷対象物や消耗品を収容するための収容部５を有し、この収容部５の上面の消耗品を着脱するための開口部が収容部カバー６により開閉される。収容部５には、テープカセット２００と、リボンカセット２１０とが選択的に収容される。テープカセット２００は、カセットケース２０１内に印刷用テープ２０２及びインクリボン２０３を保持し、リボンカセット２１０はカセットケース２１１内にインクリボン２１２を保持している。印刷用テープ２０２に印刷を行なう場合には、収容部５にテープカセット２００を収容し、光ディスクＤのレーベル面に印刷を行なう場合には、収容部５にリボンカセット２１０と光ディスクＤを収容する。収容部５に光ディスクＤを収容するときには、光ディスクＤを起立させ、その起立状態で装置本体２内に装填する。
【００２２】
前記収容部５には、プラテンローラ７と印字ヘッド（サーマルヘッド）８とが対向して設けられると共に、リボン巻取軸９が設けられている。収容部５にテープカセット２００が収容されたときには、プラテンローラ７は印刷用テープ２０２及びインクリボン２０３を重ねてサーマルヘッド８との間に挟んで下流側の開口部１０に向けて搬送し、サーマルヘッド８はインクリボン２０３を介して印刷用テープ２０２に印刷を行なう。また、収容部５にリボンカセット２１０及び光ディスクＤが収容されたときには、プラテンローラ７はインクリボン２０２及び光ディスクＤを重ねてサーマルヘッド８との間に挟んで下流側の開口部１０に向けて搬送し、サーマルヘッド８はインクリボン２０２を介して光ディスクＤに印刷を行なう。リボン巻取軸９は、印刷に使用されたテープカセット２００のインクリボン２０３及びリボンカセット２１０のインクリボン２１２をそれぞれのカセットケース２０１、２１１内に巻き取って回収する。装置本体２内の開口部１０の近傍には、印刷された印刷用テープ２０２の先端側の印刷済部分を切断するためのカッタ１１が設けられている。このカッタ１１は、固定刃と可動刃を備え、これら固定刃と可動刃は印刷用テープ２０２の搬送路を隔てて互いに対向するように設けられている。固定刃は装置本体２に固定され、可動刃は固定刃に対して接離する方向に移動可能に設けられている。そして、装置本体２の上面にカッタ操作釦１２が設けられており、印刷用テープ２０２への印刷後に操作者がカッタ操作釦１２を手動操作により押し込むことによりカッタ１１が動作して印刷用テープ２０２の切断が行われる。
【００２３】
収容部５の上に設けられた前記収容部カバー６は、装置本体２の背部に設けられたヒンジ１３を介して装置本体２の上面に回動自在に取り付けられ、表示部４及び収容部５に対応する位置には透明な透視窓１４，１５が設けられている。また、収容部カバー６には、装置本体２の幅方向に沿って延びるスリット状の挿通口１６が形成されている。この挿通口１６は、収容部カバー６の一側部寄りに位置から他側部側に向って延び、その他側部側の端部が開閉カバー６の側部の外方に開放されている。前記開口部１０から光ディスクＤを起立状態で挿入したときには、その光ディスクＤは挿通口１６に沿って移動して収容部５のセット位置に達する。この際、光ディスクＤはそのほぼ上半部が挿通口１６から装置本体２の外部上方に突出する。そして、印刷時には、光ディスクＤは挿通口１６内に挿通された状態で下流側の開口部１０に向けて搬送され、その搬送中に光ディスクＤに対して印刷が行なわれる。
【００２４】
上記印刷装置１では、カッタ１１は印刷後の印刷用テープ２０２を切断するためのものであり、光ディスクＤが装置本体２に装填されている状態で操作者が不用意にカッタ操作釦１２を押してカッタ１１を動作させると、光ディスクＤを傷つけてしまうことになる。また、光ディスクＤのような樹脂板からなる剛体の媒体に対してカッタ１１を動作させると、その切断刃も傷むことになる。また、上記印刷装置１では、上半部が収容部カバー６に形成した挿通口１６から装置外に突出した状態で光ディスクＤが装置本体２に装填されるため、リボンカセット２１０を交換するために操作者が不用意に収容部カバー６を開放すると、収容部カバー６の挿通口１６の縁部が突き当たって光ディスクＤを傷めることになる。このように、上記印刷装置１では、光ディスクＤが装置本体２に装填された状態でカッタ操作釦１２が操作されたり、収容部カバー６が開放されたりすると、光ディスクＤを傷めてしまうため、カッタ１１の動作と収容部カバー６の開放とを禁止するための構成を備えている。以下、それらの構成について説明する。
【００２５】
前記収容部カバー６の裏側には収容部カバー６と対向して支持板１８が設けられ、その支持板１８上には、挿通口カバー２０が設けられると共に、この挿通口カバー２０の動作に連動して動作するカッタロック部材２５及びカバーロック部材３０が挿通口カバー２０の左右に配置されて設けられている。挿通口カバー２０は、図示を省略するガイド機構により支持板１８上を装置本体２の前後方向にのみ摺動自在に設けられている。この挿通口カバー２０には摘み２１が一体に設けられており、その摘み２１が収容部カバー６に設けた操作窓１７から装置外に突出して配置されている。この摘み２１を操作者が摘んで装置本体２の後方に向けて手動操作することにより挿通口１６を塞ぐ位置から開放する位置に挿通口カバー２０を移動することができるようになっている。また、カッタロック部材２５は、図示を省略するガイド機構により支持板１８上を装置本体２の左右方向にのみ摺動自在に設けられている。このカッタロック部材２５の一側部にはカッタ操作釦１２に設けた係止穴２３に対応してロックピン部２６を備えると共に、カッタロック部材２５の他側部と収容部カバー６の裏面中央部に設けたピン２７の間には引っ張りばね２８が張設されており、カッタロック部材２５はピン２７に向けて引っ張る方向に常時付勢されている。また、カバーロック部材３０は、図示を省略するガイド機構により支持板１８上を装置本体２の左右方向にのみ摺動自在に設けられている。このカバーロック部材３０の一側部には装置本体２に設けた係止部２４に対応してロックピン部３１を備えると共に、カバーロック部材３０の他側部と収容部カバー６の裏面中央部に設けたピン２７の間には引っ張りばね３２が張設されており、カバーロック部材３０はピン２７に向けて引っ張る方向に常時付勢されている。
【００２６】
また、挿通口カバー２０の左右両側部には傾斜した摺接部２２ａ、２２ｂがそれぞれ設けられ、この摺接部２２ａ、２２ｂがカッタロック部材２５及びカバーロック部材３０にそれぞれに設けた傾斜した摺接部２９，３３に当接するようになっている。したがって挿通口カバー２０が装置本体２の後方に向けて移動操作されて挿通口１６を塞ぐ位置から開放する位置に移動するときには、互いに当接する傾斜した摺接部部分を介して挿通口カバー２０の装置本体２の後方への移動の動きを、カッタロック部材２５及びカバーロック部材３０を装置本体２の左右の外方向に向けた動きに変えるようになっている。そして、その動きによってカッタロック部材２５のロックピン部２６がカッタ操作釦１２の係止穴２３に侵入し、カバーロック部材３０のロックピン部３１が装置本体２の係止部２４に侵入する。挿通口カバー２０に加わる力が解除されれば、ピン２７に向けて引っ張る方向に常時付勢している引っ張りばね２８、３２のばね力により、カッタロック部材２５及びカバーロック部材３０はそれぞれ左右の内方向に向けて移動し係止が解除されると共に、その動きに押されて挿通口カバー２０が挿通口１６を塞ぐ位置まで復帰移動するようになっている。
【００２７】
また、前記収容部カバー６のヒンジ結合側とは反対の解放側の端部には装置本体２に閉合した収容部カバー６を装置本体２に係止するためのフック３５が設けられている。一方、装置本体２にはフック３５を係止するための係止片３６が設けられ、この係止片３６によるフック３５の係止を解除するための係止解除機構が設けられている。この係止解除機構は、装置本体２の上部に操作者が操作可能に配置される係止解除釦３７と、その係止解除釦３７の下部に設ける操作軸３８と、略Ｌ形状に形成されてそのＬ形状の一片部３９ａが操作軸３８の下端部に当接するとともにＬ形状の他片部３９ｂが回動軸となって装置本体２に支持される連結レバー３９と、この連結レバー３９と装置本体２との間に設けられ係止解除釦３７や連結レバー３９などの復帰動作用のスプリング４０とで構成されている。そして、収容部カバー６のフック３５を係止する係止片３６が連結レバー３９の他片部３９ｂに設けられている。収容部カバー６を装置本体２に閉合すると、装置本体２側の係止片３６に収容部カバー６のフック３５が係止され、収容部カバー６は装置本体２に閉合状態に保持される。そこで、操作者が係止解除釦３７を押圧操作すると、操作軸３８に押されて連結レバー３９の一片部３９ａが他片部３９ｂを回動軸として時計回りに回動し、これに伴って連結レバー３９の他片部３９ｂに設けた係止片３６も時計回りに回動することにより係止片３６とフック３５の係止が外れて収容部カバー６の開放が可能になる。
【００２８】
この印刷装置１では、光ディスクＤに印刷を行う場合に、光ディスクＤを装置本体２に装填するべく、操作者が摘み２１を摘んで手動操作により挿通口カバー２０を装置本体２の背部に向けて移動させて挿通口１６を開放し、挿通口１６を介して光ディスクＤを装置本体２内に装填する。図５及び図６は光ディスクＤを装填した状態を示している。挿通口１６を開放するべく挿通口カバー２０を装置本体２の背部に向けて移動させると、挿通口カバー２０の動きに連動して、カッタロック部材２５が引っ張りばね２８の付勢力に抗してカッタ操作釦１２に向けて移動し、そのロックピン部２６がカッタ操作釦１２に設けた係止穴２３に侵入してカッタ操作釦１２の操作を操作不能にする。同時に、挿通口カバー２０の装置本体２の背部に向けての移動により、カバーロック部材３０が装置本体２に設けた係止部２４に向けて移動し、そのロックピン部３１が係止部２４の係止穴２４ａに侵入して装置本体２に収容部カバー６をロックし、収容部カバー６の開放を操作不能にする。この状態では、前記係止解除釦３７を操作して係止片３６とフック３５の係止を解除しても、カバーロック部材３０によって収容部カバー６が装置本体２にロックされているため、収容部カバー６を開放することはできない。
【００２９】
そして、光ディスクＤへの印刷が終了して、光ディスクＤを装置本体２から取り出すと、光ディスクＤが挿通口１６から取り除かれることにより、引っ張りばね２８、３２の付勢力によってカッタロック部材２５及びカバーロック部材３０がピン２７の位置する収容部カバー６の中央に向けて引っ張られて移動し、それに伴って挿通口カバー２０が装置本体２の前部に向けて移動して光ディスクＤが退出した挿通口１６を塞ぐ位置に復帰する。
【００３０】
なお、光ディスクＤの装填時にのみ挿通口１６を開口するために挿通口カバー２０を開放するものであるから、収容部５にテープカセット２００を収容して印刷用テープ２０２に印刷する場合には、挿通口カバー２０は挿通口１６を塞ぐ位置のままにしておく。この状態では、カッタロック部材２５のロックピン部２６はカッタ操作釦１２の係止穴２３に係止されていないため、カッタ１１は手動操作可能であり、印刷された印刷テープ２０２をカッタ操作釦１２を操作することにより切断することができる。また、カバーロック部材３０も作動していないため、係止解除釦３７の操作によって収容部カバー６の係止を解除して収容部カバー６を開放し、収容部５に対してテープカセット２００の交換作業を自由に行うことができる。
【００３１】
この第１の実施形態の印刷装置１によれば、光ディスクＤを装置本体２に装填するべく手動操作手段としての挿通口カバー２０を手動操作により挿通口１６を開放する位置に移動させると、その移動操作に連動してカッタロック部材２５が動作してカッタ１１を操作不能にし、また同時にカバーロック部材３０が動作して収容部カバー６が装置本体２にロック状態となってその開放操作を不能にすることができる。このように、手動操作手段の操作によりカッタ１１の切断動作と収容部カバー６の開放動作を禁止する手段を備えることにより、装置本体２に装填された光ディスクＤに対してカッタ１１を動作させて光ディスクＤに傷を付けたり、収容部カバー６の挿通口１６に光ディスクＤを挿通した状態で収容部カバー６を開放することによって挿通口１６の縁部を光ディスクＤにぶつけて光ディスクに傷を付けるなどのトラブルを解消することができる。
【００３２】
次に、図７（Ａ）、（Ｂ）は本発明の第２の実施形態に係る印刷装置の要部の平面図である。この印刷装置１は、第１の実施形態の印刷装置と同様に、カッタ１１のロック機能と収容部カバー６のロック機能を備えており、それらの構成は同一である。第１の実施形態の印刷装置では、手動操作手段（手動操作用の摘み２１を備えた挿通口カバー２０）の手動操作によってカッタ１１のロック機能と収容部カバー６のロック機能とを機能させるようにしたものであるが、この第２の実施形態に係る印刷装置では、光ディスクＤが装置本体２に装填されることに連動してこれらの２つの機能を有効に機能させるようにしたものである。
【００３３】
この印刷装置１は、光ディスクＤを装置本体２の右側面に設けられた開口部１０からこの開口部１０に端部が開口して位置する前記挿通口１６に沿って装置本体２に装填するものである。前記開口部１０の近傍及び前記挿通口１６の端部に位置する挿通口カバー２０の端部は装置本体２の背部（後部）から前部に向けて傾斜した傾斜部２０ａに形成されている。従って、光ディスクＤを開口部１０から挿入して挿通口１６に沿って装置本体２内を移動すると、光ディスクＤの挿入側の先端が傾斜部２０ａに突き当たって挿通口カバー２０を装置本体２の背部に向けて移動させる。この挿通口カバー２０の動きに連動してカッタロック部材２５がカッタ操作釦１２に向けて移動してロックピン部２６がカッタ操作釦１２の係止穴２３に侵入し、同時にカバーロック部材３０が装置本体２の係止部２４に向けて移動してロックピン部３１が係止穴に侵入することにより、カッタ１１及び収容部カバー６をロック状態にすることができる（図７（Ｂ））。装置本体２から光ディスクＤを取り出すと、引っ張りばね２８，３２の付勢によって挿通口カバー２０が元の位置に復帰する。この動作は前述の第１の実施形態の場合と同一である。
【００３４】
したがって、この第２の実施形態の印刷装置１によれば、光ディスクＤを装置本体２に装填すると、その光ディスクＤの装填に連動してカッタロック部材２５が動作してカッタ１１を操作不能にし、また同時にカバーロック部材３０が動作して収容部カバー６の開放操作を不能にすることができるので、装置本体２に装填された光ディスクＤに対してカッタ１１を動作させて光ディスクＤに傷を付けたり、収容部カバー６の挿通口１６に光ディスクＤを挿通した状態で収容部カバー６を開放することによって挿通口１６の縁部を光ディスクＤにぶつけて光ディスクに傷を付けるなどのトラブルを解消することができる。
【００３５】
次に、図８は第３の実施形態に係る印刷装置の平面図である。この印刷装置１は、光ディスクＤを装置本体２に装填すると、その光ディスクＤの装填を検出して駆動源によりカッタ操作釦１２及び収容部カバー６をロックする機構を動作させるように構成したものである。図８に図示のように、光ディスクＤが装填される装置本体２あるいは収容部カバー６の挿通口１６には光ディスクＤの挿入を検出するためのセンサ４２が設けられており、収容部カバー６の裏側にはソレノイド４３，４４が設けられ、このソレノイド４３，４４によってロックピン４５，４６を動作するようにしている。装置本体２に光ディスクＤが装填されたことをセンサ４２によって検出し、その検出信号に基づいて不図示の制御部によってソレノイド４３，４４が駆動される。このソレノイド４３，４４の駆動によりロックピン４５がカッタ操作釦１２の係止穴２３に侵入し、同時にロックピン４６が装置本体２の係止部２４の係止穴に侵入してカッタ１１及び収容部カバー６をロック状態にすることができる。装置本体２から光ディスクＤが取り出されたことをセンサ４２が検出すると、ソレノイド４３、４４への通電が停止されロックピン４５，４６がそれぞれの係止穴から退出してカッタ１１及び収容部カバー６のロック状態が解除される。
【００３６】
したがって、この第３の実施形態の印刷装置１によれば、光ディスクＤの装置本体２への装填がセンサ４２によって検出されると、ソレノイド４３、４４が駆動されてカッタ１１が操作不能にロックされ、また同時に収容部カバー６が装置本体２にロック状態となってその開放操作を不能にすることができるので、装置本体２に装填された光ディスクＤに対してカッタ１１を動作させて光ディスクＤに傷を付けたり、収容部カバー６の挿通口１６に光ディスクＤを挿通した状態で収容部カバー６を開放することによって挿通口１６の縁部を光ディスクＤにぶつけて光ディスクに傷を付けるなどのトラブルを解消することができる。
【００３７】
次に、図９（Ａ）、（Ｂ）は本発明の第４の実施形態に係る印刷装置の要部の平面図である。この印刷装置１は、光ディスクＤを装置本体２に装填すると、その光ディスクＤの挿入に連動して装置本体２に露出して設けられているカッタ操作釦１２及び係止解除釦３７を遮蔽する手段を設けることにより操作者の操作を不能にするものである。図９（Ａ）、（Ｂ）において、５０は第１の挿通口カバー、６０は第２の挿通口カバーである。これらの第１の挿通口カバー５０及び第２の挿通口カバー６０は収容部カバー６の下部に重ねて配置され、それぞれ装置本体２の後方向及び前方向に向けて移動可能に設けられている。第１の挿通口カバー５０には後端部に突出部５１を有し、この突出部５１は傾斜した摺接部５２を有してその摺接部５２が第１の遮蔽板５５に傾斜して形成した摺接部５６に当接している。第１の遮蔽板５５は第１の挿通口カバー５０に当接するとともに、引っ張りばね５７に付勢されつつ収容部カバー６の左右方向に移動可能に設けられ、収容部カバー６の側方から外部に出没自在に設けられている。この第１の遮蔽板５５が外部に突出したときにカッタ操作釦１２の上部を覆ってこれを遮蔽するようにしている。この第１の挿通口カバー５０の開口部１０の近部の端部には図７の挿通口カバー２０の場合と同様に傾斜部５３が形成されている。
【００３８】
また、第２の挿通口カバー６０は装置本体２の前部に向けて突出部６１を有し、この突出部６１は傾斜した摺接部６２を有してその摺接部６２が第２の遮蔽板６５に傾斜して形成した摺接部６６に当接している。第２の遮蔽板６５は第２の挿通口カバー６０に当接するとともに、引っ張りばね６７に付勢されつつて収容部カバー６の左右方向に移動可能に設けられ、収容部カバー６の側方から外部に出没自在に設けられている。この第２の遮蔽板６５が外部に突出したときに係止解除釦３７の上部を覆ってこれを遮蔽するようにしている。この第２の挿通口カバー６０の開口部１０の近部の端部には第１の挿通口カバー５０の傾斜部５３とは反対に装置本体２の前部から背部に向けて傾斜した傾斜部６３が形成されている。
【００３９】
この印刷装置１では、光ディスクＤを開口部１０から挿通口１６に沿って装置本体２内に挿入すると、光ディスクＤの挿入側の先端部が傾斜部５３及び傾斜部６３に突き当たり、第１の挿通口カバー５０を装置本体２の背部に向けて移動させる一方、第２の挿通口カバー６０を装置本体２の前部に向けて移動させ、これにより第１の遮蔽板５５及び第２の遮蔽板６５を側方に移動させて、カッタ操作釦１２及び係止解除釦３７の上部を覆ってこれを遮蔽するようにしている。このように、光ディスクＤを装置本体２に装填した状態では、カッタ操作釦１２及び係止解除釦３７が第１の遮蔽板５５及び第２の遮蔽板６５によって遮蔽されることになり、それらの操作が不可能になる。装置本体２から光ディスクＤが取り除かれると、引っ張りばね５７、６７の付勢力により第１の挿通口カバー５０及び第２の挿通口カバー６０は元の位置に復帰する。
【００４０】
したがって、この第４の実施形態の印刷装置１によれば、光ディスクＤが装置本体２に装填されると、第１の遮蔽板５５及び第２の遮蔽板６５がカッタ操作釦１２及び係止解除釦３７の上部を覆ってカッタ操作釦１２及び係止解除釦３７の操作を不能にするため、装置本体２に装填された光ディスクＤに対してカッタ１１を動作させて光ディスクＤに傷を付けたり、収容部カバー６の挿通口１６に光ディスクＤを挿通した状態で収容部カバー６を開放することによって挿通口１６の縁部を光ディスクＤにぶつけて光ディスクに傷を付けるなどのトラブルを解消することができる。
【００４１】
次に、図１０は本発明の第５の実施形態に係る印刷装置の一部を切欠した平面図である。この印刷装置１は、図９に示す第４の実施形態の場合と同様に、第１の挿通口カバー７０及び第２の挿通口カバー８０を収容部カバー６の下部に備え、開口部１０の近部の端部にそれぞれ傾斜方向の異なる傾斜部を有し、光ディスクＤが装置本体２に装填されたときに、第１の挿通口カバー７０を装置本体２の背部に向けて移動させる一方、第２の挿通口カバー８０を装置本体２の前部に向けて移動させるように構成している。また、第１の挿通口カバー７０の突出部７１に傾斜形状の摺接部を設ける一方、カッタロック部材７２にも傾斜形状の摺接部を設けて引っ張りばね７３の付勢力を受けつつ第１の挿通口カバー７０の移動に応じて左右方向に移動可能にした点で第１の実施形態の場合と同一の構成である。この第５の実施形態では、光ディスクＤが装置本体２に装填されたときに、係止解除釦３７の操作を収容部カバー６の係止解除機構に伝達しないようにした点に特徴がある。図１０に図示のように、第２の挿通口カバー８０には前方に突出した突出部８１を備え、その突出部８１の端部には傾斜形状の摺接部８２を備えている。一方、収容部カバー６の係止解除機構は、図４に示すものと基本的構造は同一であるが、第２の挿通口カバー８０の動作に連動するようにした点、図４に図示の係止解除機構の連結レバー３９の他片部３９ｂを分離・結合可能にした点で相違している。すなわち、連結レバー８９は一片部９０と分離・結合可能な２つの他片部９１ａ、９１ｂとで構成されており、一方の他片部９１ａは装置本体２の左右方向に移動可能に設けられるとともに、その他片部９１ａには第２の挿通口カバー８０からの押圧を受ける受け部９２を備え、この受け部９２には突出部８１の摺接部８２と当接する傾斜形状の摺接部９３を備えている。また、この他片部９１ａには、他片部９１ａを他片部９１ｂに結合する方向に付勢するばね９５が設けられている。９４は他片部９１ａの端部に設けた図４の符号３６に相当する係止片である。
【００４２】
この第５の実施形態による印刷装置１では、光ディスクＤが装填されると、第１の挿通口カバー７０が移動してカッタ操作釦１２がロック状態なるとともに、第２の挿通口カバー８０が図１０（Ａ）の状態から図１０（Ｂ）の状態に移動して連結レバー８９の他片部９１ａ、９１ｂが互いに切り離される。従って、連結レバー８９の途中で接続が断たれるため、係止解除釦３７の押圧操作にかかわらずその操作力によって係止片９４を時計方向に回動させることができず、収容部カバー６の係止解除を行うことができなくなる。装置本体２から光ディスクＤが取り除かれれば、ばね７２、９５の付勢力によって連結レバー８９の２つの他片部９１ａ、９１ｂは再結合し、第１の挿通口カバー７０及び第２の挿通口カバー８０は元の位置に復帰する。
【００４３】
したがって、この第５の実施形態の印刷装置１によれば、光ディスクＤの装置本体２への装填により、カッタ１１が操作不能にロックされ、また同時に係止解除釦３７の操作が係止解除機構の係止片９７に伝達されずに収容部カバー６が装置本体２に係止されたままの状態となってその開放操作を不能にすることができるので、装置本体２に装填された光ディスクＤに対してカッタ１１を動作させて光ディスクＤに傷を付けたり、収容部カバー６の挿通口１６に光ディスクＤを挿通した状態で収容部カバー６を開放することによって挿通口１６の縁部を光ディスクＤにぶつけて光ディスクに傷を付けるなどのトラブルを解消することができる。
【００４４】
次に、図１１及び図１２は第５の実施形態の変形例を示す動作説明図である。この変形例では、図１０の収容部カバー６の係止解除を禁止する機構はそのまま採用し、図１０に示すカッタ操作釦１２のロック機構に代えてカッタ操作釦１２の操作は可能にするもののカッタ１１の切断刃を動作させないように構成したものである。図１１において、１１ａは固定刃、１１ｂは軸１１ｃを中心に回動可能に設けた可動刃である。この可動刃１１ｂのアーム部１１ｄの端部にはカッタ操作釦１２に接続するための切欠部１１ｅが設けられている。１１ｆは可動刃１１ｂを固定刃１１ａに対して開く方向に付勢するばねであり、１１ｇは可動刃１１ｂを初期位置に停止させるストッパーである。一方、カッタ操作釦１２は、復帰動作用ばね１０１によって上方に付勢されていると共に、カッタ操作釦１２には軸１０２によって軸支して所定の角度を回動可能にして連結片１０３が設けられ、その連結片１０３の下端部に設けた連結ピン１０４がカッタ１１の可動刃１１ｂのアーム部１１ｄに設けた切欠部１１ｅに係脱可能になっている。１０５は連結片１０３を軸１０２を中心に時計方向に回動するように付勢しているばねである。なお、図１１（Ａ）の状態が連結片１０３の時計方向への回動範囲の限度位置であり、通常時には連結片１０３はばね１０５に付勢されてこの垂直姿勢をとっている。また、１１０は図１０の第１の挿通口カバー７０と同様な挿通口カバーであり、収容部カバー６の下部に挿通口１６を開閉可能に設けられている。挿通口カバー１１０は光ディスクＤが挿入される端部に上述の傾斜部１１１を備えており、またその下部には押圧部１１２を備え、且つばね１１３によって装置本体２の前部に向けて付勢されている。また、１２０は装置本体２内のカッタ１１とカッタ操作釦１２の配設位置との間を移動可能に設けた移動プレートであり、図示のように垂直向きにして所定の範囲内を移動可能に設けられている。なお、図示を省略しているが、移動プレート１２０は装置本体２の前部に向けて付勢されている。
【００４５】
このような構成において、図１１（Ａ）、（Ｂ）は光ディスクＤが装填されていない状態と装填された状態を示している。また、図１２（Ａ）、（Ｂ）は光ディスクＤが装填されていない状態と装填された状態において、カッタ操作釦１２を操作した状態を示している。光ディスクＤが装填されていない状態では、図１１（Ａ）、図１２（Ａ）に示すように、カッタ操作釦１２に設けた連結片１０３は垂直状態であり、その下端部の連結ピン１０４がカッタ１１の可動刃１１ｂのアーム部１１ｄに設けた切欠部１１ｅに嵌り込んでいる。この状態では、カッタ操作釦１２と可動刃１１ｂとが連結片１０３で連結されているため、カッタ操作釦１２の押圧操作により可動刃１１ｂを固定刃１１ａに向けて回動させてカッタ１１の切断動作を行わせることができる。したがって、印刷用テープを切断することができる。
【００４６】
ところが、装置本体２に光ディスクＤを装填すると、図１１（Ａ）の状態から図１１（Ｂ）の状態に変化する。すなわち、光ディスクＤの装填により挿通口カバー１１０が装置本体２の背部に向けて移動し、この移動により挿通口カバー１１０の押圧部１１２が移動プレート１２０を装置本体２の背部に向けて垂直状態のままで平行移動させる。すると、カッタ操作釦１２に設けた連結片１０３の下端部の連結ピン１０４が移動プレート１２０に押されて連結ピン１０４が可動刃１１ｂのアーム部１１ｄに設けた切欠部１１ｅから脱出し、カッタ操作釦１２と可動刃１１ｂとの機械的な連結が断たれる。その状態を図１１（Ｂ）に示している。したがって、図１２（Ｂ）に図示のように、装置本体２に光ディスクＤが装填された状態では、カッタ操作釦１２を押し込んでもカッタ操作釦１２の下部に設けた連結片１０３の下端部の連結ピン１０４が前記アーム部１１ｄに設けた切欠部１１ｅから脱出した状態で移動プレート１２０に沿って下方に移動するのみで、カッタ操作釦１２の操作が可動刃１１ｂに伝達されないため、カッタ１１を切断動作させることができない。
【００４７】
したがって、図１１及び図１２の機構を用いれば、装置本体２に光ディスクＤが装填された状態で誤ってカッタ操作釦１２の操作しても光ディスクＤを傷めたり、カッタ１１の切断刃１１ａ、１１ｂを傷めたりすることがない。なお、図１１（Ｂ）の状態で光ディスクＤを装置本体２から取り出せば、挿通口カバー１１０はばね１１３の力によって装置本体２の前部に向けて復帰移動するとともに、移動プレート１２０も不図示のばねの力によって装置本体２の前部に向けて復帰移動する。これにより移動プレート１２０による規制が外された連結片１０３がばね１０５の力によって時計方向に回動し、連結ピン１０４が可動刃１１ｂのアーム部１１ｄに設けた切欠部１１ｅに嵌り込んでカッタ操作釦１２と可動刃１１ｂとが連結状態に復帰することになる。図１１（Ａ）はその状態を示している。  図１３は図９に示す実施形態の変形例の説明図である。図９の印刷装置では、第１の挿通口カバー５０及び第２の挿通口カバー６０が光ディスクＤの装填時に光ディスクＤに押されて移動するように構成したが、第１の挿通口カバー５０及び第２の挿通口カバー６０を手動操作によりそれぞれ所定の方向に移動するようにしてもよい。図１３において、１３０は手動操作摘みであり、１３１は手動操作摘み１３０の下部に突出して形成した突出部である。図示の初期位置にある手動操作摘み１３０を収容部カバー６の挿通口１６の端部から挿通口１６に沿って他端部まで移動させることによって第１の挿通口カバー５０及び第２の挿通口カバー６０をそれぞれ所定の方向に移動させることができる。この手動操作機構は図１０に示す実施形態及び上述したその変形例にも適用することができる。
【００４８】
また、図１４は図９に示す実施形態の更に異なる変形例の説明図である。この例では、図９の印刷装置の第１の挿通口カバー５０及び第２の挿通口カバー６０をソレノイドの駆動によって移動させるものである。第１の挿通口カバー５０及び第２の挿通口カバー６０の開口部１０と反対側の端部に図示のような傾斜部５３ａ、６３ａを形成し、それに対応して傾斜部を有する作動部１４１をソレノイド１４０によって傾斜部５３ａ、６３ａに向けて突き出して第１の挿通口カバー５０及び第２の挿通口カバー６０をそれぞれ所定の方向に移動させるものである。ソレノイド１４０の駆動は上述のように光ディスクＤの装置本体２への装填を検出するセンサの信号に基づいて行う。この駆動源に基づいて動作する機構は図１０に示す実施形態及び上述したその変形例にも適用することができる。
【００４９】
なお、以上説明した実施形態に限定することなく、それらの実施形態で説明したカッタ１１の動作禁止のための各手段及び収容部カバー６の開放禁止のための各手段を適宜組み合わせて採用することができる。
【００５０】
また、この印刷装置では、記録媒体などの剛体の媒体に対してカッタ１１の動作禁止と収容部カバー６の開放禁止の機能を有するものであるが、剛体の媒体は、光ディスクなどの記録媒体に限らずにプラスチックのカードなどであってもよい。
【図面の簡単な説明】
【００５１】
【図１】本発明の第１の実施形態に係る印刷装置および消耗品の斜視図。
【図２】その印刷装置に印刷対象物を装填した状態の斜視図。
【図３】その印刷装置の平面図。
【図４】図３のＡ―Ａ線断面図。
【図５】その印刷装置に印刷対象物を装填した状態の平面図。
【図６】図５の部分断面図。
【図７】本発明の第２の実施形態に係る印刷装置の要部の平面図。
【図８】本発明の第３の実施形態に係る印刷装置の平面図。
【図９】本発明の第４の実施形態に係る印刷装置の要部の平面図。
【図１０】本発明の第５の実施形態に係る印刷装置の一部を切欠した平面図。
【図１１】本発明の第５の実施形態の変形例を示す動作説明図。
【図１２】本発明の第５の実施形態の変形例を示す動作説明図。
【図１３】本発明の第４の実施形態に係る印刷装置の変形例の説明図。
【図１４】本発明の第４の実施形態に係る印刷装置の更に異なる変形例の説明図。
【符号の説明】
【００５２】
１…印刷装置
２…装置本体
３…キー入力部
４…表示部
５…収容部
６…収容部カバー
７…プラテンローラ
８…サーマルヘッド
９…リボン巻取軸
１０…開口部
１１…カッタ
１２…カッタ操作釦
１３…ヒンジ
１６…挿通口
２０…挿通口カバー
２０ａ…傾斜部
２１…摘み
２２ａ、２２ｂ…摺接部
２３…係止穴
２４…係止部
２５…カッタロック部材
２６…ロックピン部
２８…引っ張りばね
２９…摺接部
３０…カバーロック部材
３１…ロックピン部
３２…引っ張りばね
３３…摺接部
３５…フック
３６…係止片
３７…係止解除釦
３８…操作軸
３９…連結レバー
４２…センサ
４３、４４…ソレノイド
４５、４６…ロックピン
５０…第１の挿通口カバー
５１…突出部
５２…摺接部
５３、５３ａ…傾斜部
５５…第１の遮蔽板
５６…摺接部
５７…引っ張りばね
６０…第２の挿通口カバー
６１…突出部
６２、６３ａ…摺接部
６３…傾斜部
６５…第２の遮蔽板
６６…摺接部
６７…引っ張りばね
７０…第１の挿通口カバー
７１…突出部
７３…引っ張りばね
８０…第２の挿通口カバー
８１…突出部
８２…摺接部
８９…連結レバー
９２…受け部
９３…摺接部
９５…ばね
１３０…手動操作摘み
９２…ヘッド挿入部
１４０…ソレノイド
２００…テープカセット
２０２…印刷用テープ
２０３…インクリボン
２１０…リボンカセット
２１２…インクリボン
Ｄ…光ディスク（剛体の媒体）
【図１】
0004618084.tif 000002
【図２】
0004618084.tif 000003
【図３】
0004618084.tif 000004
【図４】
0004618084.tif 000005
【図５】
0004618084.tif 000006
【図６】
0004618084.tif 000007
【図７】
0004618084.tif 000008
【図８】
0004618084.tif 000009
【図９】
0004618084.tif 000010
【図１０】
0004618084.tif 000011
【図１１】
0004618084.tif 000012
【図１２】
0004618084.tif 000013
【図１３】
0004618084.tif 000014
【図１４】
0004618084.tif 000015